(57)【要約】【課題】研削装置において、各軸の回転周期もしくはその整数倍と正確には一致しない周期の振れ成分によるワーク加工面の凹凸を解消する技術を提供する。【解決手段】１パス毎もしくは数パスの削りの途中に、意図的に砥石をワークから離しワークを回転させることで、振れ成分の凹凸をずらす。凹凸を反転させ得る回転数を事前に判定し、その結果を加工プログラムに反映させることで、振れ成分によるワーク加工面の凹凸を少ないサイクルタイムで解消する。凹凸を反転させ得る回転数が事前に分からなければ、１回転ずつ回して良好な仕上げが得られる回転数を選択する。【選択図】  図１０
2015139858.tif 000002
【特許請求の範囲】
【請求項１】
回転駆動される砥石と、ワーク軸に軸承されつつ回転駆動され、前記回転駆動される砥石に接近され切り込まれることにより研削される円筒状のワークを互いに接近離間する方向に前記砥石と前記ワークを相対移動させる相対移動手段と、
前記ワークが回転駆動される時の回転周期もしくはその整数倍と一致しない周期の前記ワークの半径方向の振れ成分を測定する測定手段と、
前記測定手段により測定された前記回転周期もしくはその整数倍と一致しない周期の振れ成分と逆位相になる回転数を選定する回転数選定手段と、
前記相対移動手段により前記ワークを加工位置まで移動させて実回転させることにより前記ワークを研削する第１の研削動作を行わせた後、前記相対移動手段により前記ワークを加工位置から離間させ、前記回転数選定手段により選定された回転数に達するまで空回転させた後、前記ワークを加工位置まで移動させて実回転させることにより前記ワークを研削する第２の研削動作を行わせることで、前記第１の研削動作中に前記振れ成分により前記ワークの加工面に形成された凹凸を、前記第２の研削動作中にキャンセルするように制御する制御手段と、を有することを特徴とする研削装置。
【請求項２】
前記第２の研削動作を前記ワークの研削の各１パスの間に実行することを特徴とする請求項１に記載の研削装置。
【請求項３】
前記第２の研削動作を前記ワークの研削の複数パス毎に実行することを特徴とする請求項１に記載の研削装置。
【請求項４】
回転駆動される砥石と、ワーク軸に軸承されつつ回転駆動され、前記回転駆動される砥石に接近され切り込まれることにより研削される円筒状のワークを互いに接近離間する方向に前記砥石と前記ワークを相対移動させつつ前記ワークを研削する方法において、
前記ワークが回転駆動される時の回転周期もしくはその整数倍と一致しない周期の前記ワークの半径方向の振れ成分を測定する工程と、
前記測定工程により測定された前記回転周期もしくはその整数倍と一致しない周期の振れ成分と逆位相になる回転数を選定する回転数選定工程と、
前記ワークを加工位置まで移動させて実回転させることにより前記ワークを研削する第１の研削動作を行わせる工程と、
前記ワークを加工位置から離間させ、前記回転数選定工程により選定された回転数に達するまで空回転させる空回転工程と、
前記空回転工程後、前記ワークを加工位置まで移動させて実回転させることにより前記ワークを研削する第２の研削動作を行わせる工程とを有し、
前記第１の研削工程中に前記振れ成分により前記ワークの加工面に形成された凹凸を、前記第２の研削工程中にキャンセルすることを特徴とする研削方法。
【発明の詳細な説明】
【技術分野】
【０００１】
本発明は、ワークを回転させつつ当該ワークを研削加工する研削装置及び方法に関し、特に、円筒状等のワークの外周面に螺旋状のねじを研削加工する研削装置及び方法に関する。
【背景技術】
【０００２】
一般に、砥石軸の先端に設けられた砥石をワーク周面に押し当てて研削加工を行う場合には、その研削抵抗を受けることにより、前記砥石軸が撓んでその撓み角だけ前記砥石によるワークの加工面に勾配が生じたり、ワークに歪みが生じたりする。このような加工面の勾配やワークの歪みは加工精度の向上の大きな妨げとなるので、従来、仕上げ加工終了前に切込み送りを停止したまま研削を続けるスパークアウト研削が行われている（例えば、特許文献１参照）。
【先行技術文献】
【特許文献】
【０００３】
【特許文献１】特開２００３−３３４７３８号公報
【発明の概要】
【発明が解決しようとする課題】
【０００４】
しかしながら、ワークを回転させつつ当該ワークを研削加工する研削装置においては、当該研削装置（機械）の特性（クセ）等に起因して、ワークの回転軸の回転周期若しくはその整数倍と正確には一致しない周期の振れ成分を生じることがあり、この振れ成分により工具となる砥石とワークの間に相対運動が生じると、その相対運動に応じた形状がワークの加工した仕上げ面に残る。
【０００５】
例えば、図１に示すように、ワークが一瞬砥石に近づけば、ワークの加工面が多く削られ凹面が残り、逆にワークが一瞬砥石から離れれば、ワークの加工面がその分少なく削られ凸面が残る。ここで、ワークの変位が、図２に示すように、砥石に向かう方向だけであると仮定すると、その変位と回転角度に対する関係は、例えば図３のようになる。そして、振れ成分が、回転周期もしくはその整数倍と正確に一致しない場合、図４に示すように、回転を繰り返せば凹凸の位相はずれていく。従って、一回の研削で仕上るのであれば、加工面には図５のような多角形様の形状が残ることになる。
例えば、円筒研削等のワークの回転と送り軸の送りの同期がそれほど重要でない加工においては、ワークを回しながら削る過程において振れ成分の凸と凹の位相がずれていくため次々に回転していけば、最後の加工で残った凸部が多めに削られるため、最終的には、図６に示すように、円筒に近い形状が得られる。
しかし、図７に示すように、ねじ研削に代表されるワークの回転と送り軸による送りの同期が厳しく要求される加工においては、意図的に砥石からワークを離してワークを回転させない限り、加工点がある位置にあれば必ずワークと回転軸の振れ成分の凹凸の位相が一致してしまう。即ち、図６に示す円筒研削の場合と異なり、ボールねじのようなねじ研削では、螺旋状にねじの山と谷が形成され、山、谷それぞれの半径は一定に維持されなければならないので、ワークの軸（主軸）に半径方向の振れ成分が有る場合には、意図的に砥石からワークを離して回転させない限り、不規則な凹凸が不可避的に生じてしまう。しかしながら、円筒状等のワークを螺旋状に研削していかなければならないので、一般的に言われる切り込み０（ゼロ）の研削を繰り返す上述したスパークアウト研削を繰り返しても研削面（谷）において最終的に円筒に近い輪郭が得られないことを意味する。即ち、円筒研削の場合は、砥石は研削の１パスの途中で同じ個所に留まり研削できるので、上述したスパークアウト研削で振れ成分による凹凸を無くすように研削できるのに対し、ボールねじのように螺旋状に連続する溝を研削する場合には、砥石は研削の１パスの途中で同じ個所を研削のために通過できないので、上述したスパークアウト研削が適用できない。
このような各軸の回転周期もしくはその整数倍と正確に一致しない周期の振れ成分は、研削装置等の機械ごとの「クセ」に起因することが多い。例えば、対象の軸そのものを支える軸受、モータ軸の軸受およびモータからワーク回転軸への動力伝達を歯車で行うものにおいてはその伝達過程に入る各軸の軸受について、転がり軸受を用いている場合、各軸はその軸受内輪、外輪、転動体および転動体保持器の自転・公転に起因して各軸の回転周期もしくはその整数倍と正確に一致しない周期の振れ成分を生じることがある。そして、各軸の振れが動力伝達系を通してワークにまで伝わることがある。
また、歯車のかみ合いについても同様に各軸の回転周期もしくはその整数倍に完全に一致しない周期の振れを生じることがある。
近年、工作機械の分野では、益々高い加工精度が求められており、例えば、工作機械の可動物の送りねじのように長尺の棒状ねじを研削する場合には、特に、高速化・静音化等の目的から滑らかで均一な真円度の高いねじ溝を研削することが求められる。
特に、螺旋状にワークを研削していくボールねじ用のねじ軸の研削等における以上の問題点は、上述したように、特許文献１記載のスパークアウト研削等の従来技術では解決できないことは明らかである。そこで、研削装置等において、このような各軸の回転周期もしくはその整数倍と正確には一致しない周期の振れ成分を生じることによるワークの加工面の凹凸を可及的に少ないサイクルタイムで解消することが可能な技術の開発が待たれている。
【０００６】
本発明は上述のような事情から為されたものであり、その目的は、研削装置において、各軸の回転周期もしくはその整数倍と正確には一致しない周期の振れ成分を生じることによるワークの加工面の凹凸を比較的少ないサイクルタイムで解消することができる技術を提供することにある。
【課題を解決するための手段】
【０００７】
本発明者は、１パス毎もしくは数パスの削りの途中に、意図的に砥石をワークから離しワークを回転させるようにすることで、振れ成分の凹凸をずらすことが可能なことに着眼し、そのような完全に凹凸を反転させ得る回転数を事前に判定し、その結果を加工プログラムに反映させることで、上述した振れ成分によるワークの加工面の凹凸を少ないサイクルタイムで解消することができる技術を見出した。また、そのような完全に凹凸を反転させ得る回転数について、事前に把握できない場合には、１回転ずつ回して最も良好な仕上げが得られる回転数を選択することができることも確認した。
【０００８】
尚、確実に位相がずれる回転数を図るため、事前に、ダブル・ボール・バーなどで何回転すればどれくらい位相がずれるか確認し、その上で完全に凹凸を反転させる回転数を調べておくことが有効である。また、その研削装置の特性として、問題となる周期成分が複数ある場合にできるだけ多くの成分について確実な位相差を生じる回転数を例えば、ダブル・ボール・バーや、リングゲージ（もしくは円筒試験片）と変位計の組み合わせで事前測定することが可能である。
【０００９】
即ち、上記目的を達成するため、本発明の研削装置は、回転駆動される砥石と、ワーク軸に軸承されつつ回転駆動され、前記回転駆動される砥石に接近され切り込まれることにより研削される円筒状のワークを互いに接近離間する方向に前記砥石と前記ワークを相対移動させる相対移動手段と、前記ワークが回転駆動される時の回転周期もしくはその整数倍と一致しない周期の前記ワークの半径方向の振れ成分を測定する測定手段と、前記測定手段により測定された前記回転周期もしくはその整数倍と一致しない周期の振れ成分と逆位相になる回転数を選定する回転数選定手段と、前記相対移動手段により前記ワークを加工位置まで移動させて実回転させることにより前記ワークを研削する第１の研削動作を行わせた後、前記相対移動手段により前記ワークを加工位置から離間させ、前記回転数選定手段により選定された回転数に達するまで空回転させた後、前記ワークを加工位置まで移動させて実回転させることにより前記ワークを研削する第２の研削動作を行わせることで、前記第１の研削動作中に前記振れ成分により前記ワークの加工面に形成された凹凸を、前記第２の研削動作中にキャンセルするように制御する制御手段と、を有することを特徴とする。尚、「実回転」とは、砥石によりワークが切り込まれることにより研削されるワークの回転状態を意味し、「空回転」とは、ワークが砥石から完全に離間し、研削されないワークの回転状態を意味する。
【００１０】
ここで、前記第２の研削動作を前記ワークの研削の１パス毎に実行するようにしても良いし、前記ワークの研削の複数パス毎に実行するようにしても良い。
【００１１】
また、上記目的を達成するため、本発明の研削方法は、回転駆動される砥石と、ワーク軸に軸承されつつ回転駆動され、前記回転駆動される砥石に接近され切り込まれることにより研削される円筒状のワークを互いに接近離間する方向に前記砥石と前記ワークを相対移動させつつ前記ワークを研削する方法において、前記ワークが回転駆動される時の回転周期もしくはその整数倍と一致しない周期の前記ワークの半径方向の振れ成分を測定する工程と、前記測定工程により測定された前記回転周期もしくはその整数倍と一致しない周期の振れ成分と逆位相になる回転数を選定する回転数選定工程と、前記ワークを加工位置まで移動させて実回転させることにより前記ワークを研削する第１の研削動作を行わせる工程と、前記ワークを加工位置から離間させ、前記回転数選定工程により選定された回転数に達するまで空回転させる空回転工程と、前記空回転工程後、前記ワークを加工位置まで移動させて実回転させることにより前記ワークを研削する第２の研削動作を行わせる工程とを有し、前記第１の研削工程中に前記振れ成分により前記ワークの加工面に形成された凹凸を、前記第２の研削工程中にキャンセルすることを特徴とする。
【発明の効果】
【００１２】
本発明によれば、研削装置において、各軸の回転周期もしくはその整数倍と正確には一致しない周期の振れ成分を生じることによるワークの加工面の凹凸を比較的少ないサイクルタイムで解消することができる。
【図面の簡単な説明】
【００１３】
【図１】研削装置において、各軸の回転周期もしくはその整数倍と正確には一致しない周期の振れ成分を生じる原理を説明するための第１の図である。
【図２】研削装置において、各軸の回転周期もしくはその整数倍と正確には一致しない周期の振れ成分を生じる原理を説明するための第２の図である。
【図３】研削装置において、各軸の回転周期もしくはその整数倍と正確には一致しない周期の振れ成分を生じる原理を説明するための第３の図である。
【図４】研削装置において、各軸の回転周期もしくはその整数倍と正確には一致しない周期の振れ成分を生じる原理を説明するための第４の図である。
【図５】研削装置において、各軸の回転周期もしくはその整数倍と正確には一致しない周期の振れ成分を生じる原理を説明するための第５の図である。
【図６】研削装置において、各軸の回転周期もしくはその整数倍と正確には一致しない周期の振れ成分を生じる原理を説明するための第６の図である。
【図７】研削装置において、各軸の回転周期もしくはその整数倍と正確には一致しない周期の振れ成分を生じる原理を説明するための第７の図である。
【図８】本発明の第１の実施形態に係る研削装置の構成を示す図である。
【図９】図８に示した研削装置におけるワークの加工部の拡大図である。
【図１０】図８に示した研削装置における機能構成を示す図であり、特に、回転数選定の機能ブロックを示す。
【図１１】本発明の第１の実施形態の研削装置における回転数選定のフローチャートである。
【図１２】本発明の第１の実施形態の研削装置が１パス毎に空回転を行う場合の制御動作を説明するための第１の図である。
【図１３】本発明の第１の実施形態の研削装置が１パス毎に空回転を行う場合の制御動作を説明するための第２の図である。
【図１４】本発明の第１の実施形態の研削装置が１パス毎に空回転を行う場合の制御動作を説明するための第３の図である。
【図１５】本発明の第１の実施形態の研削装置が１パス毎に空回転を行う場合の制御動作を説明するための第４の図である。
【図１６】本発明の第１の実施形態の研削装置が１パス毎に空回転を行う場合の制御動作を説明するための第５の図である。
【図１７】本発明の第１の実施形態の研削装置が１パス毎に空回転を行う場合の制御動作を説明するための第６の図である。
【図１８】本発明の第１の実施形態の研削装置が１パス毎に空回転を行う場合の作用効果を説明するための図である。
【図１９】本発明の第２の実施形態の研削装置における回転数選定のフローチャートである。
【図２０】本発明の第２の実施形態の研削装置が１パス毎に空回転を行う場合の空回転数選定を説明するための図である。
【発明を実施するための形態】
【００１４】
以下、図面を参照して、本発明の実施の形態について詳細に説明する。
本実施形態の研削装置１００は、図８に示すように、各軸方向の駆動を司るモータドライバ１０１，１０２，１０３，１０４，１０５と、これらモータドライバ１０１，１０２，１０３，１０４，１０５をそれぞれ制御すると共に各軸の回転数、送り速度等を数値制御するＣＮＣ（コンピュータ数値制御）装置１０７を備えており、このＣＮＣ（コンピュータ数値制御）装置１０７には、その数値制御のためのデータ（加工物の諸元）を、例えば対話形式で入力することが可能な加工プログラムが内蔵されている。即ち、研削装置１００は、図８に示すように、Ｘ−Ｚの２軸方向と、Ａ及びＣの２（軸）方向から成る４（軸）方向の制御が可能であり、砥石台１２２をＸ軸方向に駆動するモータドライバ１０１，Ａ軸方向に旋回駆動するモータドライバ１０２，ワークテーブル１１２をＺ軸方向に駆動するモータドライバ１０３、砥石軸（図示せず）を回転駆動するモータドライバ１０４、及びワーク軸[主軸]（図示せず））をＣ（軸）方向に回転駆動するモータドライバ１０５と、ＣＮＣ（コンピュータ数値制御）装置１０７を備えており、ＣＮＣ（コンピュータ数値制御）装置１０７が、所定の加工プログラムに従って、モータドライバ１０１〜１０５を各軸方向に駆動制御すること等によって、ワークＷが所望のねじ形状に加工（研削）される。
【００１５】
図８に示すように、研削装置１００のベッド１１０上に左右方向（Ｚ方向）移動可能に案内支持されたワークテーブル１１２上には、ワーク軸[主軸]（図示せず））を軸承する主軸台１１４と心押台１１６が左右方向に対向して同軸的に設けられ、ワークＷは主軸台１１４と心押台１１６に設けた左側センタ１１８、右側センタ１２０により両端が支持されている。ワーク軸[主軸]は、主軸台１１４に設けた主軸モータ１２１により回転駆動され、ワークＷは左端部が主軸から突設された回止め部材（図示せず）に係合されて主軸と共に回転される。このワークＷが回転する軸（主軸）方向を、便宜上「Ｃ軸」と規定する。
【００１６】
また、ベッド１１０上には、Ｚ方向と直交する水平なＸ方向に移動可能に砥石台１２２が案内支持され、この砥石台１２２には砥石頭１３２が備えられ、砥石頭１３２は、砥石台１２２に対して、Ｘ軸を軸として、図８の一点鎖線で示すように、旋回可能に構成されている。この旋回動作のための図示しないモータが備わっている。旋回可能角度は、砥石１３４の方向がＹ軸と一致している場合を便宜上０度とし、反時計回りを正方向とすると、例えば、−α度〜α度（例えばα＝２５）である。但し、これに限られることはなく、ねじ研削に必要な角度が含まれていればよい。この砥石頭１３２が旋回する方向を、便宜上Ａ方向と規定する。
【００１７】
砥石頭１３２には、砥石１３４が主軸と平行な砥石軸（図示せず）により軸承され、砥石軸モータ１３８により回転駆動される。ベッド１１０に設けた砥石台駆動（サーボ）モータ１４０は、ＣＮＣ（コンピュータ数値制御）装置１０７内のパルス分配回路（図示せず）から分配される制御パルスに基づいて作動するモータドライバ１０５により制御駆動され、送りねじ装置（図示せず）を介して砥石台１２２にＸ方向の送りを与えるものである。エンコーダ等の位置検出器（図示せず）が砥石台駆動モータ１４０の回転角度を介して砥石台１２２の移動位置を検出し、この検出値はセンサコントローラ（図示せず）を介して、ＣＮＣ（コンピュータ数値制御）装置１０７に入力される。尚、１３９は、砥石台１２２をＡ軸方向に旋回させるモータである。
【００１８】
ＣＮＣ（コンピュータ数値制御）装置１０７は、その各々は図示しないが、研削装置１００全体を制御し管理する中央処理装置（ＣＰＵ）、メモリ、外部とのデータの授受を行うインタフェース、及びＣＰＵからの指令に応じて駆動パルスを分配送出するパルス分配回路を備えている。ＣＰＵには、Ａ−Ｄコンバータを介してセンサコントローラが接続され、このセンサコントローラはＣＰＵにより制御されている。更に、インタフェースには、制御データ等を入力する入力装置（図示せず）が接続され、またパルス分配回路には、モータドライバ１０１〜１０５を介して前述の主軸モータ１２１、砥石軸モータ１３８、砥石台駆動モータ１４０及び後述するテーブル駆動モータ１５２等のモータ群が接続されている。メモリには、ワークＷを加工するための加工プログラム及びその他のデータ等が格納されている。
【００１９】
次に、研削加工動作について説明する。主軸モータ１２１による駆動で砥石１３４を高速回転させる。同時に、砥石台駆動モータ１４０により砥石台１２２をＸ軸方向に摺動させることにより、砥石１３４がワークＷに対して接近／離反する。また、砥石頭１３２をＡ方向にねじ溝の角度に合わせた所望の角度だけ旋回させた状態に設定する。更に、テーブル駆動モータ１５２によりワークテーブル１１２をＺ軸方向に摺動させる（テーブル送り）ことにより、砥石１３４のワークＷに対するＺ方向の位置を変えることができる。以上から、Ａ方向に所望の角度だけ旋回させた（傾かせた）砥石１３４の回転と、そのＸ軸方向及びＺ軸方向の移動により、ワークＷに対して所望のねじ加工を行うことができる。
【００２０】
図９は、研削装置１００の加工部の拡大図である。図９に示すように、本実施形態では、長尺の円筒状のワークＷにねじを研削加工する例であり、このようなねじ研削加工では、ワークＷの回転Ｒ１とＺ軸送り（テーブル送り）Ｓの同期が厳しく要求される。尚、Ｌは砥石１３４のリード角、Ｒ２は砥石１３４の回転を示す。このようなねじ研削加工では、前述したように、意図的に砥石１３４からワークＷを離してワークＷを回転させない限り加工点がワークＷのある位置にあれば必ずワークＷの回転軸（主軸）の振れ成分の凹凸の位相が一致してしまう。これは、一般的に言われる切り込み０（ゼロ）の研削を繰り返す上述したスパークアウト研削を繰り返しても最終的に真円に近い断面の輪郭が得られないことを意味する。
そこで、本実施形態では、１パス毎もしくは数パスの削り毎に、意図的に砥石１３４をワークＷから離しワークＷを空回転させることで、振れ成分の凹凸をずらすようにしている。また、そのような完全に凹凸を反転させ得る回転数を事前に判定し、その結果をＣＮＣ（コンピュータ数値制御）装置１０７内の加工プログラムに反映させることで、上述した振れ成分によるワークＷの加工面の凹凸を少ないサイクルタイムで解消するようにしている。
【００２１】
図１０に、本実施形態の研削装置１００におけるダブル・ボール・バーによる振れ測定例を示す。図１０に示すように、本実施形態の研削装置１００において、ダブル・ボール・バーによる振れ測定を行うには、ワークＷの加工面に相当する位置に球形のプローブ４００aが位置するように（ダブル）ボール・バー４００を固定して、このボール・バー４００による計測データをコンピュータ１２００により解析することで行う。コンピュータ１２００には、（ダブル）ボール・バーシステム１２０２がインストールされており、このシステムプログラムに従って、計測データを取得し、特に、周期解析１２０４を行い、この周期解析データの加工プログラムへの適用１２０６が行われる。
【００２２】
次に、上記のように構成された本実施形態の研削装置１００における回転数選定動作を、図１１に示すフローチャートを用いて説明する。オペレータ（図示せず）が入力装置（図示せず）をＯＮにすると、入力装置（図示せず）からの指令により研削装置１００が作動を開始すると共に事前測定が開始される（ステップ８０１）。この事前測定では、複数回転分、振れ測定（振れ及び位相の測定）が実行される（ステップ８０２）。これにより得られた測定結果を周期解析部１２０４が解析し（ステップ８０３）、問題になりそうな大きな成分があるか否か判断する（ステップ８０４）。問題になりそうな大きな成分が無いと判断されれば（ステップ８０４でNo）、当初の加工プログラムで問題なく研削を行えるので、事前測定を終了する（ステップ８０５）。問題になりそうな大きな成分が有ると判断されれば（ステップ８０４でYes）、問題になりそうな成分について周期が整数倍で無いか否か判断する（ステップ８０６）。周期が整数倍であると判断されれば（ステップ８０６でNo）、対処不能のため、事前測定を終了する（ステップ８０７）。周期が整数倍でないと判断されれば（ステップ８０６でYes）、複数回転分の測定結果から周期解析もしくは、ある回転数同士を比較して位相が確実に変わる回転数を選定する（問題の周期成分が複数あれば、その全てに対して確実に位相が変わる回転数を選定する（ステップ８０８）。このステップ８０８により選定された回転数をＣＮＣ（コンピュータ数値制御）装置１０７内の加工プログラムに適用し（ステップ８０９）、事前測定を終了する（ステップ８１０）。
【００２３】
さて、図１１のフローチャートにおけるステップ８０９により、選定された回転数がＣＮＣ（コンピュータ数値制御）装置１０７内の加工プログラムに適用された場合の加工制御動作について説明する。まず、上述したように１パス毎とするか複数パス毎とするかの設定に応じたパス数に達するまでは、砥石１３４を加工位置まで移動させ、ワークＷに対して実回転によるねじ研削をおこなう。上述したパス数に達すると、砥石１３４を加工位置から撤退させ、選定回転数分の空回転を行う。その後、砥石１３４を再び加工位置まで移動させ、ワークＷに対して次の実回転による研削加工を行う。この動作を１パスの途中又は複数パスの途中に実行する。尚、以上のような１パス毎とするか複数パス毎とするかの設定も、ＣＮＣ（コンピュータ数値制御）装置１０７に内蔵された加工プログラムにデータを入力することにより選択可能なことは言うまでもない。
以下、１パス毎に選定回転数分の空回転を行う場合について、本実施形態の研削装置の制御動作及び作用効果の機序を、図１２乃至図１８を参照して具体的に説明する。図１２乃至図１７は、本実施形態の研削装置が１パス毎に空回転を行う場合の制御動作を説明するための第１乃至第６の図である。図１２乃至図１７の各図において、（a）は、ワークＷの長さ方向における砥石１３４との位置関係を示す図であり、（b）は、その時の矢指方向（ワークＷの軸方向）の投影図を示す。
まず、図１２（a）、（b）に示すように、ワークＷの長さ方向一端側の研削予定位置Ｌから砥石１３４をワークＷに接近させ切り込むことにより研削の１パスを開始する。この状態で、砥石１３４を回転・搖動させながらワークＷも回転させることで、図１３（a）、（b）に示すように、１パスの間、即ち、ワークＷの長さ方向他端側の研削予定位置Ｒまで、ネジ溝を研削していく。研削予定位置Ｒまでネジ溝を研削し１パスを終了すると、図１４（a）、（b）に示すように、砥石１３４をワークＷから退避させる。この状態、即ち、砥石１３４をワークＷから退避させた状態で、図１５（a）、（b）に示すように、ワークＷを図１３（a）、（b）と同じ回転方向に空回転させる。次に、図１６（a）、（b）に示すように、砥石１３４をワークＷの加工位置に復帰させる、即ち、上述した１パスの反対側から（ワークＷの長さ方向他端側の研削予定位置Ｒから）砥石１３４をワークＷに切り込み復路のパスを開始する。この状態で、砥石１３４を回転・搖動させながら、ワークＷを図１３（a）、（b）とは逆回転させることで、図１７（a）、（b）に示すように、復路の１パスの間、即ち、ワークＷの長さ方向一端側の研削予定位置Ｌまで、ネジ溝を研削していく。以上により往路１パスと復路１パスの往復加工が終了する。この往復加工を、例えば、２往復することにより、合計４パスの研削を完了する。
図１８は、本実施形態の研削装置が１パス毎に空回転を行う場合の作用効果を説明するための図であり、本願発明が抑制を目指す凹凸成分をモデルとして示すものである。図１８において、（a）（b）（c）（d）は、それぞれ１パス、２パス、３パス、４パス研削後のワークＷの加工面の凹凸の位相を示す。
まず、図１８（a）に示すように、研削の１パスを終了後には、ワークＷの加工面に振れ成分に応じた凹凸が残留するものとする。この場合、上述したように砥石１３４をワークＷから退避させた状態でワークＷを所定の回転数だけ空回転させた上で２パス目を研削する場合、前加工の凹凸残留量と、新たな切込量が１対１で残る加工となるならば、図１８（b）に示すように、２パス目の凹凸は逆位相になる結果、理論的には２パス終了後には、残留凹凸量はゼロになる。しかしながら、現実には、前加工の凹凸残留量と新たな切込量が１対１で残らないことが多いので、図１８（c）、（d）に示すように、切り込みを減らしながら３パス目の研削、４パス目の研削を実行することで、凹凸をパス毎に更に減少（抑制）していくことが可能である。
【００２４】
このように、本実施形態の研削装置においては、確実に位相がずれる回転数を計測するため、事前に、ダブル・ボール・バーで何回転すればどれくらい位相がずれるか確認し、その上で完全に凹凸を反転させる回転数を調べておく。またこの研削装置１００の特性として、問題となる周期成分が複数ある場合にできるだけ多くの成分について確実な位相差を生じる回転数をダブル・ボール・バーで事前測定する。この事前測定した回転数のデータ（周期解析データ）がＣＮＣ（コンピュータ数値制御）装置１０７の加工プログラムへ適用されることにより、加工プログラムの制御データが修正され、その結果、１パス毎もしくは数パスの削り毎に、意図的に砥石１３４をワークＷから離しワークＷを空回転させることで、振れ成分の凹凸をずらすことが可能になる。
その結果、本実施形態の研削装置においては、加工サイクルタイムを増加させることなく、被研削面の真円度、面精度及び径精度を向上させることが可能である。
以上のように、本実施形態の研削装置は、振れ成分の凹凸を完全に反転させ得る回転数を事前に判定し、その結果を加工プログラムに反映させることで、上述した振れ成分によるワークの加工面の凹凸を極めて少ないサイクルタイムで解消することができる。
【００２５】
次に、本発明の第２の実施形態の研削装置について説明する。本実施形態の研削装置のハードウエア構成は、図８及び図９に示した第１の実施形態のものと同様であるので、その説明を省略する。本実施形態は、上述した第１の実施形態における確実に位相が変わる回転数が事前に分からなければ、１回転ずつ回して最も良好な仕上げが得られる回転数を選択する形態である。
本実施形態の研削装置における回転数選定動作を、図１９に示すフローチャートを用いて説明する。オペレータ（図示せず）が入力装置（図示せず）をＯＮにすると、入力装置（図示せず）からの指令により研削装置が作動を開始すると共に事前測定が開始される（ステップ９０１）。この事前測定では、回転数iがn回転以下であるか否かを判断し（ステップ９０２）、n回転以下でなければ（ステップ９０２でNo）、対処不能のため、事前測定を終了する（ステップ９０３）。n回転以下であれば（ステップ９０２でYes）、間の回転数i回として加工（送り０で加工）する（ステップ９０４）。そして、この加工により得られた加工結果を測定する（ステップ９０５）。加工結果が良好であるか否か判断し（ステップ９０６）、良好であれば（ステップ９０６でYes）、選定回転数をＣＮＣ（コンピュータ数値制御）装置１０７内の加工プログラムに適用し（ステップ９０７）、事前測定を終了する（ステップ９０８）。良好でなければ（ステップ９０６でNo）、i=i＋1として（ステップ９０９）ステップ９０２に戻る。このように、本実施形態の研削装置は、確実に位相が変わる回転数が事前に分からなくても、１回転ずつ回して最も良好な仕上げが得られる回転数を選択することが可能である。
図２０は、本実施形態の研削装置が１パス毎に空回転回数を選定する過程を説明するための図であり、本願発明が抑制を目指す凹凸成分をモデルとして示すものである。図２０において、（a）（b）（c）（d）（e）（f）（g）（h）（i）は、それぞれ１パス、２パス、３パス、４パス、５パス、６パス、７パス、８パス、９パス研削後のワークＷの加工面の凹凸を示す。各パスの間に１ずつ異なる回数の空回転を挿入する。
まず、図２０（a）に示すように、研削の１パスを終了した時点では、ワークＷの加工面に振れ成分に応じた凹凸が残留するものとする。この場合、上述したように最適の回転数が分からないので、図２０（b）に示すように、２パス目を研削すると、対象とする凹凸の位相と大きさが変わる。３パス、４パスと繰り返していき各パス毎に測定を実施していると対象の凹凸を所定の空回転数内で最も小さくする空回転数が見つかる。そこで、１回転ずつ回して最も良好な仕上げが得られる回転数を選択することが可能となる。実際には，対象の成分をフーリエ変換などの周期分析手法により他の凹凸成分と分解し、１つ前のパスの測定結果との差を効果として評価する。
【００２６】
以上のように、本発明によれば、研削装置において、各軸の回転周期もしくはその整数倍と正確には一致しない周期の振れ成分を生じることによるワークの加工面の凹凸を比較的少ないサイクルタイムで解消することができる。
【００２７】
以上の説明では、確実に位相がずれる回転数を図るため、事前に、何回転すればどれくらい位相がずれるか、或いは、その工作機械の特性として、問題となる周期成分が複数ある場合にできるだけ多くの成分について確実な位相差を生じる回転数を調べるには、ダブル・ボール・バーを用いたが、ワークを回転する軸が回転する場合の半径方向の変位を精密測定できれば良いので、精密測定手段としては、ダブル・ボール・バーの代わりに、リングゲージ（もしくは円筒試験片）と変位計の組み合わせを用いて事前測定するようにしても良い。
【産業上の利用可能性】
【００２８】
以上に述べた実施形態では、本発明をボールねじの研削を行う例に適用したが、三角ねじ、台形ねじ、ねじゲージ、ウォーム等あらゆるねじの研削を行う例に適用できるのは勿論である。また、本発明は、ねじに限られず、例えば、はす歯の歯車やプロペラの研削を行う場合等に広く適用することができる。
【符号の説明】
【００２９】
１００  研削装置、１０１，１０２，１０３，１０４，１０５  モータドライバ、
１０７  ＣＮＣ（コンピュータ数値制御）装置、１１０  ベッド、
１１２  ワークテーブル、  Ｗ  ワーク、１１４  主軸台、
１１６  心押台、  １１８  左側センタ、１２０  右側センタ、１２１  主軸モータ、
１２２  砥石台、１３２  砥石頭、１３４  砥石、１３８  砥石軸モータ、
１３９  モータ、１４０  砥石台駆動（サーボ）モータ、１５２  テーブル駆動モータ、
４００  （ダブル）ボール・バー、４００a  プローブ、１２００  コンピュータ、
１２０２  （ダブル）ボール・バーシステム、１２０４  周期解析、
１２０６  加工プログラムへの適用
【図１】
2015139858.tif 000003
【図２】
2015139858.tif 000004
【図３】
2015139858.tif 000005
【図４】
2015139858.tif 000006
【図５】
2015139858.tif 000007
【図６】
2015139858.tif 000008
【図７】
2015139858.tif 000009
【図８】
2015139858.tif 000010
【図９】
2015139858.tif 000011
【図１０】
2015139858.tif 000012
【図１１】
2015139858.tif 000013
【図１２】
2015139858.tif 000014
【図１３】
2015139858.tif 000015
【図１４】
2015139858.tif 000016
【図１５】
2015139858.tif 000017
【図１６】
2015139858.tif 000018
【図１７】
2015139858.tif 000019
【図１８】
2015139858.tif 000020
【図１９】
2015139858.tif 000021
【図２０】
2015139858.tif 000022